(57)【要約】【課題】使用地における機能の使用頻度の変化を考慮したユーザインタフェースを持つ携帯端末の提供。【解決手段】携帯端末は、所定のエリアで使用頻度が高くなる機能を、当該エリアで起動しやすくなるように、画面上の機能起動手段の配置を定義した設定情報を記憶する手段と、自機が位置するエリアを特定する手段と、前記設定情報に基づいて、前記自機が位置するエリアに応じた態様で機能起動手段を表示する手段と、を備える。【選択図】図１
2010146286.tif 000002
【特許請求の範囲】
【請求項１】
所定のエリアで使用頻度が高くなる機能を、当該エリアで起動しやすくなるように、画面上の機能起動手段の配置を定義した設定情報を記憶する手段と、
自機が位置するエリアを特定する手段と、
前記設定情報に基づいて、前記自機が位置するエリアに応じた態様で機能起動手段を表示する手段と、を備える携帯端末。
【請求項２】
前記設定情報として、所定のエリアにおける待ち受け画面上のアイコンの配置が定義されており、
前記所定のエリアにおいて、待ち受け画面上にアイコンを表示する請求項１に記載の携帯端末。
【請求項３】
海外において使用頻度の高い機能を起動しやすいように海外用の設定情報を記憶している請求項１又は２に記載の携帯端末。
【請求項４】
前記アイコンとして、当該エリアで通用する通貨と他の通貨との少なくとも一方の通貨から他方の通貨に換算することのできる電卓機能を起動する電卓アイコンを表示する請求項２又は３に記載の携帯端末。
【請求項５】
前記アイコンとして、当該エリアで通用する言語の訳語を収録した辞書機能を起動する辞書アイコンを表示する請求項２乃至４いずれか一に記載の携帯端末。
【請求項６】
前記アイコンにより起動される度に、自機が位置するエリアに応じた通貨換算レート又は辞書データの追加又は更新を行う請求項４又は５に記載の携帯端末。
【請求項７】
前記電卓アイコンにより起動された場合に、直ちに、自機が位置するエリアで通用する通貨と他の通貨との少なくとも一方の通貨から他方の通貨に換算することのできる状態で前記電卓機能を起動する請求項４又は６に記載の携帯端末。
【請求項８】
前記辞書アイコンにより起動された場合に、直ちに、自機が位置するエリアの言語の訳語を検索できる状態で前記辞書機能を起動する請求項５又は６に記載の携帯端末。
【請求項９】
前記設定情報として、所定のエリアにおける機能メニュー上の項目表示順序が定義されており、
前記所定のエリアにおいて、機能メニュー上の項目表示順序を変更する請求項１乃至８いずれか一に記載の携帯端末。
【請求項１０】
所定のエリアで使用頻度が高くなる機能を、当該エリアで起動しやすくなるように、画面上の機能起動手段の配置を定義した設定情報を記憶する携帯端末が、自機が位置するエリアを特定し、
前記携帯端末が、前記エリア別設定情報に基づいて、前記自機が位置するエリアに応じた態様で機能起動手段を表示する、
携帯端末における機能起動手段の提示方法。
【請求項１１】
所定のエリアで使用頻度が高くなる機能を、当該エリアで起動しやすくなるように、画面上の機能起動手段の配置を定義した設定情報を記憶する携帯端末に搭載されたコンピュータに実行させるプログラムであって、
自機が位置するエリアを特定する処理と、
前記エリア別設定情報に基づいて、前記自機が位置するエリアに応じた態様で機能起動手段を表示する処理とを、
前記コンピュータに実行させるプログラム。
【発明の詳細な説明】
【技術分野】
【０００１】
本発明は、携帯端末のユーザインタフェース技術に関する。
【背景技術】
【０００２】
近年、海外においても、国内における加入サービスと同等のサービスが受けられる国際ローミング機能を備えた携帯電話端末が発売されており、仕事や旅行等で海外に行く機会の多いユーザに受け入れられている。
【０００３】
特許文献１に、国際ローミング機能を有し、ユーザが位置している国に応じて、辞書や電卓機能の変更、データダウンロード等を自動的に行う機能変更手段を備えた無線電話装置が開示されている。また、特許文献２には、外国での使用を検知すると当該国で必要な辞書データを自動的にダウンロードする機能を備えた携帯端末装置が開示されている。
【０００４】
【特許文献１】特開２００１−３６９６６号公報
【特許文献１】特開２００２−２４７６４６号公報
【発明の開示】
【発明が解決しようとする課題】
【０００５】
一般に、携帯電話端末では、通話や電子メールの作成、送受信等の操作性に主眼が置かれ、辞書機能や電卓機能等は付加機能と位置付けられて、複数回のボタン操作を必要とする。このため、海外において、辞書や電卓を使いたいときに、当該機能を呼び出すのに、迷ってしまったり、時間が掛かってしまうという問題点がある。
【０００６】
上記特許文献１、２に記載の技術は、上記辞書機能や電卓機能を起動した後の設定操作を軽減するものであり、特定の使用地において使用頻度が高くなる機能を簡単に起動したいという要請に直接対応できるものではない。
【０００７】
本発明は、上記した事情に鑑みてなされたものであって、その目的とするところは、使用地における機能の使用頻度の変化を考慮したユーザインタフェースを持つ携帯端末、該携帯端末における機能起動手段の提示方法及びプログラムを提供することにある。
【課題を解決するための手段】
【０００８】
本発明の第１の視点によれば、所定のエリアで使用頻度が高くなる機能を、当該エリアで起動しやすくなるように、画面上の機能起動手段の配置を定義した設定情報を記憶する手段と、自機が位置するエリアを特定する手段と、前記設定情報に基づいて、前記自機が位置するエリアに応じた態様で機能起動手段を表示する手段と、を備える携帯端末が提供される。
【０００９】
本発明の第２の視点によれば、所定のエリアで使用頻度が高くなる機能を、当該エリアで起動しやすくなるように、画面上の機能起動手段の配置を定義した設定情報を記憶する携帯端末が、自機が位置するエリアを特定し、前記携帯端末が、前記エリア別設定情報に基づいて、前記自機が位置するエリアに応じた態様で機能起動手段を表示する、携帯端末における機能起動手段の提示方法が提供される。
【００１０】
本発明の第３の視点によれば、所定のエリアで使用頻度が高くなる機能を、当該エリアで起動しやすくなるように、画面上の機能起動手段の配置を定義した設定情報を記憶する携帯端末に搭載されたコンピュータに実行させるプログラムであって、自機が位置するエリアを特定する処理と、前記エリア別設定情報に基づいて、前記自機が位置するエリアに応じた態様で機能起動手段を表示する処理とを、前記コンピュータに実行させるプログラムが提供される。
【発明の効果】
【００１１】
本発明によれば、使用地によって使用頻度に差がある機能の利用を容易化することが可能になる。その理由は、エリアの位置的特性に応じて使用頻度の高い機能を起動しやすいように機能起動手段の配置を定義した設定情報を用いて、普段は使用しないが特定のエリアでは使用頻度が高くなる機能を起動しやすい態様で機能起動手段を表示できるように構成したことにある。
【発明を実施するための最良の形態】
【００１２】
［発明の概要］
始めに、本発明の概要について図面を参照して説明する。図１に示すように、本発明は、ＣＰＵ（Ｃｅｎｔｒａｌ  Ｐｒｏｃｅｓｓｉｎｇ  Ｕｎｉｔ）等の処理部２０と、半導体メモリ等の記憶部３０と、液晶ディスプレイ等の表示部４０と、ボタンやポインティングデバイス等の操作部５０とを備えた携帯端末１００ａに適用することができる。
【００１３】
処理部２０は、最寄りの基地局から無線送信される信号に含まれる基地局情報やＧＰＳ（Ｇｌｏｂａｌ  Ｐｏｓｉｔｉｏｎｉｎｇ  Ｓｙｓｔｅｍ）衛星からの情報に基づいて、自機が位置するエリアを特定する位置特定手段２０ａと、後記する設定情報に基づいて、自機が位置するエリアに応じた態様で機能起動手段を表示する表示切替手段２０ｂと、を含んで構成される。これらの手段は、処理部２０を構成するコンピュータに実行させるプログラムによって実現することができる。
【００１４】
記憶部３０には、所定のエリアにて使用頻度が高くなる機能を当該エリアで起動しやすくなるように画面上の機能起動手段の配置を定義した設定情報を記憶する設定情報記憶手段３０ａが含まれる。
【００１５】
例えば、ユーザを対象としたアンケート調査により、あるエリアで特定の機能（機能Ａとする。）の使用頻度が高いという知見が得られている場合を考える。当該エリアでは、機能Ａを起動するアイコン（機能起動手段）を待ち受け画面上に表示し、あるいは、機能メニュー上の上位に機能Ａを配置するよう定義した設定情報を作成し、設定情報記憶手段３０ａに登録する。これにより、位置特定手段２０ａが当該エリアに位置することを検知すると、前記設定情報に従って表示部４０にアイコンやメニュー表示が行われることにより、操作部５０による機能Ａの起動が容易化される。
【００１６】
［第１の実施形態］
続いて、本発明の第１の実施形態について図面を参照して詳細に説明する。図２は、本発明の第１の実施形態の構成を表したブロック図である。図２を参照すると、無線部１０と、処理部２０と、記憶部３０と、表示部４０と、操作部５０とを備えた携帯電話端末１００の構成が示されている。
【００１７】
また、この携帯電話端末１００は、ユーザが契約しているホーム事業者Ａ２００のみならず、ホーム事業者Ａ２００が提携する海外の事業者Ｂ３００、事業者Ｃ３０１、事業者Ｄ３０２（ローミング提携事業者群４００）からもそれぞれサービスを受けることが可能となっている。
【００１８】
前記携帯電話端末１００の各処理部は、それぞれ次のように動作する。無線部１０は、ローミング提携事業者群４００に含まれる各事業者がそのサービスエリアに設置した基地局から電波信号を受信する。
【００１９】
処理部２０は、事業者判別部２１と、国判別部２２と、表示切替部２３とを含んで構成される。
【００２０】
記憶部３０は、レート記憶部３１と、辞書記憶部３２と、事業者記憶部３３とを含んで構成される。事業者記憶部３３には、基地局が送信する事業者情報から該当する基地局が所在するエリア情報（国）を判別する情報と、当該エリア情報（国）において表示すべき待ち受け画面の設定に関する情報（設定情報）が記憶されているものとする。また、事業者記憶部３３には、各国で通用する通貨と邦貨との為替レートや、当該国で通用する言語の辞書機能を実現するための辞書データの種類等が記憶されている。
【００２１】
処理部２０の事業者判別部２１は、無線部１０で受信した電波信号内の事業者情報を読み取り、事業者情報信号として国判別部２２に出力する。
【００２２】
処理部２０の国判別部２２は、記憶部３０内の事業者記憶部３３にアクセスし、事業者情報に対応するエリア情報（国）を判別し、処理部２０内の表示切替部２３に出力する。
【００２３】
処理部２０の表示切替部２３は、前記エリア情報（国）に基づいて、記憶部３０内の事業者記憶部３３から該当するエリア情報（国）において表示すべき待ち受け画面の設定に関する情報（設定情報）を読み出して、表示部４０に表示する。
【００２４】
レート記憶部３１は、携帯電話端末１００に備えられた電卓機能が起動された場合に、適用すべき各国間の通貨レートを記憶する。
【００２５】
辞書記憶部３２は、携帯電話端末１００に備えられた辞書機能が起動された場合に用いる各国の辞書データを記憶する。
【００２６】
表示部４０は、表示切替部２３より送られた待ち受け画面を表示し、操作部５０は、前記待ち受け画面を参照したユーザからの操作を受け付ける。
【００２７】
続いて、本発明の第１の実施形態の動作について図面を参照して詳細に説明する。図３は、本発明の第１の実施形態の動作を表したフローチャートである。図３を参照すると、本実施形態に係る国際ローミング機能対応の携帯電話端末１００が、任意の事業者のサービスエリア内に入った場合、無線部１０は、当該サービスエリア内に設置された基地局が発信している事業者情報を含んだ電波信号を受信する（ステップＳ１）。
【００２８】
事業者判別部２１は、電波信号内の事業者情報を読み取り（ステップＳ２）、ホーム事業者Ａ２００のサービスエリアに位置しているか否かを確認する（ステップＳ３）。ここで、携帯電話端末１００がホーム事業者Ａ２００のサービスエリアに位置していると判断された場合には（ステップＳ３の「Ｙｅｓ」）、事業者判別部２１は、表示切替部２３に対し、図４に示すような国内用の待ち受け画面を表示するよう指示する。
【００２９】
一方、携帯電話端末１００がホーム事業者Ａ２００のサービスエリア外に位置していると判断された場合（ステップＳ３の「Ｎｏ」）、事業者判別部２１は、事業者情報を国判別部２２に出力する。
【００３０】
国判別部２２は、記憶部３０内の事業者記憶部３３に記憶された情報に基づいて、事業者情報に対応するエリア情報（国）を判別し、表示切替部２３に出力する（ステップＳ４）。
【００３１】
表示切替部２３は、国判別部２２にて判別されたエリア情報（国）に基づいて、記憶部３０内の事業者記憶部３３から該当するエリア情報（国）において表示すべき待ち受け画面の設定に関する情報（設定情報）を読み出して（ステップＳ５）、当該設定に従って画面上にアイコン等の機能起動手段を配した待ち受け画面を表示部４０に表示する。
【００３２】
図５は、ホーム事業者Ａ２００のサービスエリア内に位置していないと判定され、事業者記憶部３３から待ち受け画面の設定に関する情報（設定情報）を読み出して作成される海外用の待ち受け画面の例である。図４に例示した国内用の待ち受け画面との相違点は、待ち受け画面上に、「電卓」アイコンＩＣ１と、「辞書」アイコンＩＣ２が表示されている点である。
【００３３】
ここで例えば、ユーザが、操作部５０よりキー操作を行い、図５の待ち受け画面上の「電卓」アイコンＩＣ１を選択、起動すると（図３のステップＳ１１）、表示切替部２３は、電卓機能を起動する（図３のステップＳ１２）。
【００３４】
ステップＳ１２における各機能の起動の際に、表示切替部２３が各機能に対応するプログラムに引数として、国判別部２２にて判別されたエリア情報（国）を渡すことで、下記のように利便性を一層向上させることができる。
【００３５】
図６は、図５の「電卓」アイコンＩＣ１を起動した後に表示される画面の例である。図６の例では、「電卓」アイコンＩＣ１の起動を受けて、通常の電卓機能の初期画面を表示するのではなく、国判別部２２にて判別されたエリア情報（国）に基づいて、当該国の通貨（＄）と、円通貨（￥）とのレート計算を受け付けるレート換算モードの入力画面を表示している。このようにすれば、海外の店舗等で通貨の計算をしたいユーザの利便性を一層向上させることができる。なお、図６の例では、ドロップダウンリストからユーザが他の通貨（ユーロ、ウォン等）を換算を行うことも可能である。
【００３６】
同様に、ユーザが、操作部５０よりキー操作を行い、図５の待ち受け画面上の「辞書」アイコンＩＣ２を選択、起動すると（図３のステップＳ１１）、表示切替部２３は、辞書機能を起動する（図３のステップＳ１２）。
【００３７】
この場合においても、表示切替部２３が辞書機能に対応するプログラムに引数として、国判別部２２にて判別されたエリア情報（国）を渡して初期表示する辞書データの選択等を行わせることができる。
【００３８】
図７は、図５の「辞書」アイコンＩＣ２を起動した後に表示される画面の例である。図７の例では、「辞書」アイコンＩＣ２の起動を受けて、通常の辞書機能の初期画面を表示するのではなく、国判別部２２にて判別された国の言語（ＵＳＡ）又は日本語のいずれかの入力を受け付けて訳語を表示する入力画面を表示している。
【００３９】
なお、これらの機能を実現するための通貨レート情報や辞書データは、特許文献２等の方法を用いて、インターネットからダウンロードし、レート記憶部３１、辞書記憶部３２に追加または更新することが可能である。
【００４０】
以上説明したように、本実施形態では、ユーザがキー操作にて設定しなくても、自動的に、電卓や辞書等の海外で使用頻度の高い機能が選択しやすくなるような態様で機能起動手段の表示切替が行われ、これら機能を起動する際の操作が容易化される。
【００４１】
またその際に、先に図６、図７を例示して説明したように、使用している国に合った設定、動作モードにて各機能を起動することで、利便性を格段に向上させることができる。
【００４２】
特に、本実施形態では、国際ローミングで使用する電波信号の中に情報として入っている内容を用いて、位置判定を行う構成としているため、新たに受信する情報量を増やす必要もない。
【００４３】
更に、本実施形態では、ホーム事業者Ａ２００のサービスエリアに位置する場合は、図４に示すような国内用の待ち受け画面を表示するため、使用頻度の低いアイコンが待ち受け画面上に表示されたり、機能メニュー上の上位に使用頻度の低い機能項目が配置される等の煩わしさもない。この場合、ユーザは、国内用の待ち受け画面から、通常上の機能メニューから電卓機能や辞書機能を起動するため、特定の通貨のレート換算モードの入力画面や、特定の外国語辞書の入力画面が初期画面として表示されるといった不都合が発生することもない。
【００４４】
以上、本発明の好適な実施形態を説明したが、本発明は、上記した実施形態に限定されるものではなく、本発明の基本的技術的思想を逸脱しない範囲で、更なる変形・置換・調整を加えることができる。電卓機能や辞書機能以外の機能についても、使用頻度が大きいエリアがあるとの知見が得られているならば、これらの機能を起動するアイコンを待ち受け画面上に表示したり、機能メニュー上の上位に表示することが可能である。例えば、旅先で目覚まし時計の代用としてアラーム機能の使用頻度が高いという知見に基づいて、待ち受け画面上にアラーム機能を起動するアイコンを表示したり、機能メニューの上位に表示させることができる。
【００４５】
同様に、国内と海外というエリア分けでなく、同一国内においても、場所によって特定の機能を起動しやすいようにアイコン等の表示態様を変えることも可能である。例えば、北海道に行けば、道内の地図機能を簡単に起動できるようにしたり、関西に行けば、近畿圏の路線図表示機能を簡単に起動できるようにするといった変形実施が可能である。
【００４６】
また本実施形態では、国際ローミング機能を備えた携帯電話端末を例に挙げて説明したが、ＧＰＳや近距離無線通信のアクセスポイント情報等のその他の位置特定手段を備えた携帯端末にも適用することが可能である。
【図面の簡単な説明】
【００４７】
【図１】本発明の概要を説明するための図である。
【図２】本発明の第１の実施形態の構成を表したブロック図である。
【図３】本発明の第１の実施形態の携帯電話端末の動作を表したフローチャートである。
【図４】本発明の第１の実施形態の携帯電話端末における国内用待ち受け画面の例である。
【図５】本発明の第１の実施形態の携帯電話端末における国外用待ち受け画面の例である。
【図６】図５の電卓アイコンを起動した状態を表す図である。
【図７】図５の辞書アイコンを起動した状態を表す図である。
【符号の説明】
【００４８】
１０  無線部
２０  処理部
２０ａ  位置特定手段
２０ｂ  表示切替手段
２１  事業者判別部
２２  国判別部
２３  表示切替部
３０  記憶部
３０ａ  設定情報記憶手段
３１  レート記憶部
３２  辞書記憶部
３３  事業者記憶部
４０  表示部
５０  操作部
１００  携帯電話端末
１００ａ  携帯端末
２００  ホーム事業者Ａ
３００  事業者Ｂ
３０１  事業者Ｃ
３０２  事業者Ｄ
４００  ローミング提携事業者群
ＩＣ１  「電卓」アイコン
ＩＣ２  「辞書」アイコン
【図１】
2010146286.tif 000003
【図２】
2010146286.tif 000004
【図３】
2010146286.tif 000005
【図４】
2010146286.tif 000006
【図５】
2010146286.tif 000007
【図６】
2010146286.tif 000008
【図７】
2010146286.tif 000009